(57)【要約】【課題】種々の制約を設けること無く、記録指示の取得時点からのコンテンツのデータを光ディスクに記録する。【解決手段】記録装置は、着脱可能な光ディスクへデータを記録する記録装置である。記録装置は、データを記憶する記憶部と、或るコンテンツを光ディスクへ記録する指示を取得すると、当該コンテンツを光ディスクに記録するように制御するドライブ制御部とを備える。ドライブ制御部は、光ディスクへの記録が可能になる前には、コンテンツのデータを記憶部に記憶していき（Ｓ１０〜Ｓ１４）、光ディスクへの記録が可能になると、コンテンツの残りのデータを光ディスクに記録していき（Ｓ１５・Ｓ１６）、当該記録の完了後に、記憶部に記憶されたコンテンツのデータを光ディスクに記録する（Ｓ１７）ように制御する。【選択図】図１
2010238339.tif 000002
【特許請求の範囲】
【請求項１】
着脱可能な記録媒体へデータを記録する記録装置であって、
データを記憶する記憶部と、
或るコンテンツを上記記録媒体へ記録する指示を取得すると、該コンテンツを上記記録媒体に記録するように制御する記録制御手段とを備えており、
該記録制御手段は、上記記録媒体への記録が可能になる前には、上記コンテンツのデータを上記記憶部に記憶していき、上記記録媒体への記録が可能になると、上記コンテンツの残りのデータを上記記録媒体に記録していき、該記録の完了後に、上記記憶部に記憶された上記データを上記記録媒体に記録するように制御することを特徴とする記録装置。
【請求項２】
上記記録制御手段は、上記記録媒体への記録が可能になると、上記記憶部に記憶された上記データを記録するための上記記録媒体の記録領域を確保し、該記録領域の直後の記録領域から、上記コンテンツの残りのデータを記録していくように制御することを特徴とする請求項１に記載の記録装置。
【請求項３】
記録媒体への記録および再生を行うドライブ装置であって、
データを記憶する記憶部であって、上記記録媒体よりもアクセス速度が速い記憶部と、
上記記録媒体へのアクセスを制御するアクセス制御手段とを備えており、
上記記憶部は、複数の上記記録媒体ごとに記録媒体用記憶領域が予め確保されており、
上記アクセス制御手段は、上記複数の記録媒体のいずれかを指定する記録媒体指定情報よりも前に、当該記録媒体に書き込むべきコンテンツを取得すると、上記複数の記録媒体用記憶領域の全てに上記コンテンツのデータを記憶していき、その後に上記記録媒体指定情報を取得すると、取得された記録媒体指定情報によって指定された記録媒体以外の記録媒体に対応する記録媒体用記憶領域への上記コンテンツのデータの記憶を停止するように制御することを特徴とするドライブ装置。
【請求項４】
記録媒体への記録および再生を行うドライブ装置であって、
データを記憶する記憶部であって、上記記録媒体よりもアクセス速度が速い記憶部と、
上記記録媒体へのアクセスを制御するアクセス制御手段とを備えており、
上記記憶部は、複数の上記記録媒体ごとに記録媒体用記憶領域が予め確保されており、さらに別の記憶領域である予約領域が予め確保されており、
上記アクセス制御手段は、上記複数の記録媒体のいずれかを指定する記録媒体指定情報よりも前に、当該記録媒体に書き込むべきコンテンツを取得すると、上記予約領域に上記コンテンツのデータを記憶していき、その後に上記記録媒体指定情報を取得すると、取得された記録媒体指定情報によって指定された記録媒体に対応する記録媒体用記憶領域に、上記コンテンツの残りのデータを記憶していき、かつ、上記予約領域に記憶された上記データを上記記録媒体用記憶領域に記録するように制御することを特徴とするドライブ装置。
【請求項５】
請求項１または２に記載の記録装置を動作させるための制御プログラムであって、コンピュータを上記記録制御手段として機能させるための制御プログラム。
【請求項６】
請求項３または４に記載のドライブ装置を動作させるための制御プログラムであって、コンピュータを上記アクセス制御手段として機能させるための制御プログラム。
【請求項７】
請求項５に記載の制御プログラムと、請求項６に記載の制御プログラムとの少なくとも１つが記録されたコンピュータ読取り可能な記録媒体。
【請求項８】
着脱可能な記録媒体へデータを記録する記録装置の制御方法であって、
或るコンテンツを上記記録媒体へ記録する指示を取得すると、該コンテンツを上記記録媒体に記録するように制御する記録制御ステップを含んでおり、
該記録制御ステップでは、上記記録媒体への記録が可能になる前には、上記コンテンツのデータを記憶部に記憶していき、上記記録媒体への記録が可能になると、上記コンテンツの残りのデータを上記記録媒体に記録していき、該記録の完了後に、上記記憶部に記憶された上記データを上記記録媒体に記録するように制御されることを特徴とする記録装置の制御方法。
【請求項９】
記録媒体への記録および再生を行うドライブ装置の制御方法であって、
上記記録媒体へのアクセスを制御するアクセス制御ステップを含んでおり、
該アクセス制御ステップでは、上記複数の記録媒体のいずれかを指定する記録媒体指定情報よりも前に、当該記録媒体に書き込むべきコンテンツを取得すると、上記記録媒体よりもアクセス速度が速く、かつ複数の上記記録媒体ごとに記録媒体用記憶領域が予め確保されている記憶部における上記複数の記録媒体用記憶領域の全てに上記コンテンツのデータを記憶していき、その後に上記記録媒体指定情報を取得すると、取得された記録媒体指定情報によって指定された記録媒体以外の記録媒体に対応する記録媒体用記憶領域への上記コンテンツのデータの記憶を停止するように制御されることを特徴とするドライブ装置の制御方法。
【請求項１０】
記録媒体への記録および再生を行うドライブ装置の制御方法であって、
上記記録媒体へのアクセスを制御するアクセス制御ステップを含んでおり、
該アクセス制御ステップでは、上記複数の記録媒体のいずれかを指定する記録媒体指定情報よりも前に、当該記録媒体に書き込むべきコンテンツを取得すると、上記記録媒体よりもアクセス速度が速く、かつ複数の上記記録媒体ごとに記録媒体用記憶領域が予め確保されており、さらに別の記憶領域である予約領域が予め確保されている記憶部における上記予約領域に上記コンテンツのデータを記憶していき、その後に上記記録媒体指定情報を取得すると、取得された記録媒体指定情報によって指定された記録媒体に対応する記録媒体用記憶領域に、上記コンテンツの残りのデータを記憶していき、かつ、上記予約領域に記憶された上記データを上記記録媒体用記憶領域に記録するように制御することを特徴とするドライブ装置の制御方法。
【発明の詳細な説明】
【技術分野】
【０００１】
本発明は、着脱可能な記録媒体へデータを記録する記録装置、その制御方法および制御プログラム、並びに該プログラムを記録した記録媒体と、記録媒体への記録および再生を行うドライブ装置、その制御方法および制御プログラム、並びに該プログラムを記録した記録媒体に関するものである。特に、本発明は、上記記録媒体が光ディスクである記録装置などに関するものである。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。
【０００３】
ＢＤを初めとする光ディスクを搭載することができるレコーダ装置は、光ディスクよりもさらに大容量のデータを記録することができるハードディスクを内蔵するタイプ（ハイブリッドレコーダ）と、そのようなハードディスクを備えていないタイプ（ストレートレコーダ）とに大別することができる。
【０００４】
ストレートレコーダは、録画したコンテンツ（番組）をそのレコーダ装置に装填されている光ディスクに対して記録するため、ビデオデッキなどの従前のレコーダ装置と同様の操作方法でレコーダ装置を操作することができる。しかし、光ディスクが装填されていない場合、装填されている光ディスクが未フォーマットである場合、および装填されている光ディスクのデータ容量が不足している場合には、コンテンツを記録することができないため、コンテンツの記録失敗が多くなる。また、ハードディスクと比較してデータの読み出し速度および書き込み速度が劣る光ディスクを用いるため、ユーザーが操作レスポンスにストレスを感じやすい。
【０００５】
なお、上記問題点は、フレキシブルディスク、光磁気ディスクなどといった、光ディスク以外の記録媒体でも発生する。
【０００６】
これに対し、特許文献１に記載の撮像記録装置では、ビデオデータおよび音声データが取得されてバッファメモリに保持され、装填された光ディスクが未フォーマットである場合に、上記光ディスクのフォーマットを行った後、上記バッファメモリからデータが読み出されて、順次、光ディスクに記録されている。これにより、光ディスクの装填直後から撮像と記録とを開始することができる。
【先行技術文献】
【特許文献】
【０００７】
【特許文献１】特開２００５−２４３０７１号公報（２００５年０９月０８日公開）
【発明の概要】
【発明が解決しようとする課題】
【０００８】
特許文献１の構成では、光ディスクへの記録が可能となるまで、バッファメモリがビデオデータおよび音声データを一時記録する必要がある。しかし、例えば、ユーザーが、装着すべき光ディスクを探したり、光ディスクを装着しても、装着した光ディスクが未対応であれば、当該光ディスクを排出して、別の光ディスクを装着したりすることが起こり得る。このため、ユーザーが録画開始指示を行ってから、光ディスクへの記録が可能となるまでの期間は不定である。従って、バッファメモリが確保すべき容量も不定となる。
【０００９】
このため、特許文献１では、光ディスクが装着された後に録画開始を可能としたり、録画開始後であっても、装着した光ディスクが未対応であれば、当該光ディスクを排出して処理を終了したりするなどの種々の制約を設けている。
【００１０】
本発明は、上記問題点に鑑みてなされたものであり、その目的は、種々の制約を設けること無く、記録指示の取得時点からのコンテンツのデータを記録媒体に記録することができる記録装置などを提供することにある。
【課題を解決するための手段】
【００１１】
本発明に係る記録装置は、着脱可能な記録媒体へデータを記録する記録装置であって、上記課題を解決するために、データを記憶する記憶部と、或るコンテンツを上記記録媒体へ記録する指示を取得すると、該コンテンツを上記記録媒体に記録するように制御する記録制御手段とを備えており、該記録制御手段は、上記記録媒体への記録が可能になる前には、上記コンテンツのデータを上記記憶部に記憶していき、上記記録媒体への記録が可能になると、上記コンテンツの残りのデータを上記記録媒体に記録していき、該記録の完了後に、上記記憶部に記憶された上記データを上記記録媒体に記録するように制御することを特徴としている。
【００１２】
また、本発明に係る記録装置の制御方法は、着脱可能な記録媒体へデータを記録する記録装置の制御方法であって、上記課題を解決するために、或るコンテンツを上記記録媒体へ記録する指示を取得すると、該コンテンツを上記記録媒体に記録するように制御する記録制御ステップを含んでおり、該記録制御ステップでは、上記記録媒体への記録が可能になる前には、上記コンテンツのデータを記憶部に記憶していき、上記記録媒体への記録が可能になると、上記コンテンツの残りのデータを上記記録媒体に記録していき、該記録の完了後に、上記記憶部に記憶された上記データを上記記録媒体に記録するように制御されることを特徴としている。
【００１３】
上記の構成および方法によると、記録媒体への記録が可能になる前には、コンテンツのデータは、記憶部に記憶されていき、上記記録媒体への記録が可能になると、上記コンテンツの残りのデータが上記記録媒体に記録されていく。そして、該記録の完了後に、上記記憶部に記憶された上記データを上記記録媒体に記録する。これにより、記録指示時点からのコンテンツのデータを記録媒体に記録することができる。
【００１４】
また、上記記録指示時点から記録媒体への記録が可能になる前の上記コンテンツのデータは、上記記録媒体へ記録するためにデータを一時記憶するバッファメモリとは別の記憶部に記憶される。従って、上記バッファメモリは、不要か、或いは必要であるとしても所定の容量で済む。これにより、特許文献１のような種々の制約を設ける必要が無い。
【００１５】
なお、上記記憶部に記憶されたデータは、上記記録媒体へ記録された後の適当な時期に削除されることが、記憶領域の効率的な利用の観点からも好ましい。
【００１６】
本発明に係る記録装置では、上記記録制御手段は、上記記録媒体への記録が可能になると、上記記憶部に記憶された上記データを記録するための上記記録媒体の記録領域を確保し、該記録領域の直後の記録領域から、上記コンテンツの残りのデータを記録していくように制御することが好ましい。
【００１７】
この場合、上記記録指示時点から上記記録媒体への記録が可能になる前の上記コンテンツのデータが、上記記録媒体への記録が可能になった後の上記コンテンツのデータよりも上流の記録領域に記録されることになる。すなわち、特許文献１と同様に、コンテンツを順番通りに記録することができる。
【００１８】
ところで、ハイブリッドレコーダ（例えば、特許文献１および２）では、光ディスクと比較してデータの読み出し速度および書き込み速度が速いハードディスクを使用した録画および再生が可能であり、ユーザーは操作レスポンスにストレスを感じることは少ない。すなわち、ハイブリッドレコーダでは、上述したストレートレコーダの有する問題点を解決している。
【００１９】
しかし、高齢者などのハイブリッドレコーダに不慣れなユーザーにとっては、コンテンツ（番組）がハードディスクに対して記録されるという概念が判り難いため、ハイブリッドレコーダの操作方法が理解できないことが多い。また、他装置においてコンテンツを再生する場合には、ハードディスクに記録されているコンテンツを光ディスクにコピーするという処理が生じる。この場合、ユーザーがコンテンツを記録する光ディスクを選択してレコーダ装置に装填する必要があるため、ユーザーの意図しない光ディスクに対してコンテンツを記録してしまうなどのミスが生じるという問題を有している。
【００２０】
そこで、出願人は、光ディスクが装填されていない場合であっても、あたかも光ディスクが装填されているかのごとくデータを処理することができる光ディスクドライブ装置を提案している。
【００２１】
上記光ディスクドライブ装置は、データを記憶する記憶部であって、上記光ディスクよりもアクセス速度が速い記憶部を備えており、該記憶部は、複数の上記光ディスクのための記憶領域が予め確保されている。そして、上記複数の光ディスクのいずれかを指定するディスク指定情報と、該ディスク指定情報によって指定された光ディスクに書き込むべきコンテンツとを取得すると、上記ディスク指定情報によって指定された光ディスクに対応する上記記憶部の記憶領域に上記コンテンツを記憶している。
【００２２】
これにより、外部の装置は、上記光ディスクドライブ装置の光ディスクに対するコンテンツの記録再生を、当該光ディスクからではなく、上記記憶部から行うので、あたかも光ディスクが装填されているかのごとくコンテンツを処理することができる。従って、あたかも上記ストレートレコーダのように取り扱えると共に、上記ストレートレコーダの上述の利点を有することができる。
【００２３】
上記ディスク指定情報は、外部装置からインターフェースを介して取得したり、上記光ディスクが装填されることにより取得したりする。このため、上記ディスク指定情報は、上記コンテンツよりも後に取得することが起こり得る。この場合、上記コンテンツを何れの記憶領域に記憶すべきかが不明となる。
【００２４】
本発明は、上記問題点に鑑みてなされたものであり、その目的は、記録媒体指定情報（ディスク指定情報）をコンテンツよりも後に取得しても、コンテンツの取得時点からのコンテンツのデータを、上記記録媒体指定情報によって指定された記録媒体に対応する上記記憶部の記憶領域に記憶できるドライブ装置などを提供することにある。
【００２５】
本発明に係るドライブ装置は、記録媒体への記録および再生を行うドライブ装置であって、上記課題を解決するために、データを記憶する記憶部であって、上記記録媒体よりもアクセス速度が速い記憶部と、上記記録媒体へのアクセスを制御するアクセス制御手段とを備えており、上記記憶部は、複数の上記記録媒体ごとに記録媒体用記憶領域が予め確保されており、上記アクセス制御手段は、上記複数の記録媒体のいずれかを指定する記録媒体指定情報よりも前に、当該記録媒体に書き込むべきコンテンツを取得すると、上記複数の記録媒体用記憶領域の全てに上記コンテンツのデータを記憶していき、その後に上記記録媒体指定情報を取得すると、取得された記録媒体指定情報によって指定された記録媒体以外の記録媒体に対応する記録媒体用記憶領域への上記コンテンツのデータの記憶を停止するように制御することを特徴としている。
【００２６】
また、本発明に係るドライブ装置の制御方法は、記録媒体への記録および再生を行うドライブ装置の制御方法であって、上記課題を解決するために、上記記録媒体へのアクセスを制御するアクセス制御ステップを含んでおり、該アクセス制御ステップでは、上記複数の記録媒体のいずれかを指定する記録媒体指定情報よりも前に、当該記録媒体に書き込むべきコンテンツを取得すると、上記記録媒体よりもアクセス速度が速く、かつ複数の上記記録媒体ごとに記録媒体用記憶領域が予め確保されている記憶部における上記複数の記録媒体用記憶領域の全てに上記コンテンツのデータを記憶していき、その後に上記記録媒体指定情報を取得すると、取得された記録媒体指定情報によって指定された記録媒体以外の記録媒体に対応する記録媒体用記憶領域への上記コンテンツのデータの記憶を停止するように制御されることを特徴としている。
【００２７】
上記の構成および方法によると、記録媒体指定情報よりも前にコンテンツが取得されると、複数の記録媒体用記憶領域の全てにコンテンツのデータが記憶されていき、その後に上記記録媒体指定情報が取得されると、取得された記録媒体指定情報によって指定された記録媒体以外の記録媒体に対応する記録媒体用記憶領域への上記コンテンツのデータの記憶が停止される。これにより、コンテンツの取得時点からのコンテンツのデータは、上記記録媒体指定情報によって指定された記録媒体に対応する上記記憶部の記録媒体用記憶領域に記憶されることになる。
【００２８】
なお、上記記録媒体指定情報によって指定された記録媒体以外の記録媒体に対応する記録媒体用記憶領域に記憶されたデータは、上記記録媒体指定情報を取得した後の適当な時期に削除されることが、記憶領域の効率的な利用の観点からも好ましい。
【００２９】
本発明に係るドライブ装置は、記録媒体への記録および再生を行うドライブ装置であって、上記課題を解決するために、データを記憶する記憶部であって、上記記録媒体よりもアクセス速度が速い記憶部と、上記記録媒体へのアクセスを制御するアクセス制御手段とを備えており、上記記憶部は、複数の上記記録媒体ごとに記録媒体用記憶領域が予め確保されており、さらに別の記憶領域である予約領域が予め確保されており、上記アクセス制御手段は、上記複数の記録媒体のいずれかを指定する記録媒体指定情報よりも前に、当該記録媒体に書き込むべきコンテンツを取得すると、上記予約領域に上記コンテンツのデータを記憶していき、その後に上記記録媒体指定情報を取得すると、取得された記録媒体指定情報によって指定された記録媒体に対応する記録媒体用記憶領域に、上記コンテンツの残りのデータを記憶していき、かつ、上記予約領域に記憶された上記データを上記記録媒体用記憶領域に記録するように制御することを特徴としている。
【００３０】
また、本発明に係るドライブ装置の制御方法は、記録媒体への記録および再生を行うドライブ装置の制御方法であって、上記課題を解決するために、上記記録媒体へのアクセスを制御するアクセス制御ステップを含んでおり、該アクセス制御ステップでは、上記複数の記録媒体のいずれかを指定する記録媒体指定情報よりも前に、当該記録媒体に書き込むべきコンテンツを取得すると、上記記録媒体よりもアクセス速度が速く、かつ複数の上記記録媒体ごとに記録媒体用記憶領域が予め確保されており、さらに別の記憶領域である予約領域が予め確保されている記憶部における上記予約領域に上記コンテンツのデータを記憶していき、その後に上記記録媒体指定情報を取得すると、取得された記録媒体指定情報によって指定された記録媒体に対応する記録媒体用記憶領域に、上記コンテンツの残りのデータを記憶していき、かつ、上記予約領域に記憶された上記データを上記記録媒体用記憶領域に記録するように制御することを特徴としている。
【００３１】
上記の構成および方法によると、記録媒体指定情報よりも前にコンテンツが取得されると、予約領域にコンテンツのデータが記憶されていき、その後に上記記録媒体指定情報が取得されると、取得された記録媒体指定情報によって指定された記録媒体に対応する記録媒体用記憶領域に上記コンテンツの残りのデータが記憶されていく。そして、適当な時期に、上記予約領域に記憶された上記データが上記記録媒体用記憶領域に記録される。これにより、コンテンツの取得時点からのコンテンツのデータは、上記記録媒体指定情報によって指定された記録媒体に対応する上記記憶部の記録媒体用記憶領域に記憶されることになる。
【００３２】
なお、上記予約領域に記憶されたデータは、上記記録媒体用記憶領域へ記録された後の適当な時期に削除されることが、記憶領域の効率的な利用の観点からも好ましい。
【００３３】
また、上記記録装置の各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。また、上記ドライブ装置の各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００３４】
以上のように、本発明に係る記録装置は、記録媒体への記録が可能になる前には、コンテンツのデータが記憶部に記憶されていき、上記記録媒体への記録が可能になると、上記コンテンツの残りのデータが上記記録媒体に記録されていき、該記録の完了後に、上記記憶部に記憶された上記データを上記記録媒体に記録するので、種々の制約を設けること無く、記録指示の取得時点からのコンテンツのデータを記録媒体に記録できるという効果を奏する。
【００３５】
また、本発明に係るドライブ装置は、記録媒体指定情報よりも前にコンテンツが取得されると、複数の記録媒体用記憶領域の全てにコンテンツのデータが記憶されていき、その後に上記記録媒体指定情報が取得されると、取得された記録媒体指定情報によって指定された記録媒体以外の記録媒体に対応する記録媒体用記憶領域への上記コンテンツのデータの記憶が停止されるので、コンテンツの取得時点からのコンテンツのデータを、上記記録媒体指定情報によって指定された記録媒体に対応する上記記憶部の記録媒体用記憶領域に記憶できるという効果を奏する。
【００３６】
また、本発明に係るドライブ装置は、記録媒体指定情報よりも前にコンテンツが取得されると、予約領域にコンテンツのデータが記憶されていき、その後に上記記録媒体指定情報が取得されると、取得された記録媒体指定情報によって指定された記録媒体に対応する記録媒体用記憶領域に上記コンテンツの残りのデータが記憶されていき、かつ、上記予約領域に記憶された上記データが上記記録媒体用記憶領域に記録されるので、コンテンツの取得時点からのコンテンツのデータを、上記記録媒体指定情報によって指定された記録媒体に対応する上記記憶部の記録媒体用記憶領域に記憶できるという効果を奏する。
【図面の簡単な説明】
【００３７】
【図１】本発明の一実施形態であるレコーダ装置における録画動作の流れを示すフローチャートである。
【図２】上記実施形態に係るレコーダ装置の要部構成を示すブロック図である。
【図３】コンテンツを録画する際の光ディスクおよび記憶部の状態を示す図である。
【図４】本発明の別の実施形態であるレコーダ装置におけるドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図５】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図６】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図７】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図８】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図９】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図１０】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１１】コンテンツの同期処理後の記憶部およびディスク１の状態を示す図である。
【図１２】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１３】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１４】領域１に記録されていたコンテンツ１およびコンテンツ２を削除した後に、新たにコンテンツ４を録画したときの記憶部およびディスク１の状態を示す図である。
【図１５】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１６】コンテンツ１〜３を記録したディスク１が装填されている場合の各記憶部の状態を示す図である。
【図１７】マイディスクが装填されている場合において、再生時にコンテンツが読み出される媒体を模式的に示した図である。
【図１８】ドライブ部に光ディスクが装填されていない場合の各記憶部の状態を示す図である。
【図１９】マイディスクが装填されていない場合において、再生時にコンテンツが読み出される媒体を模式的に示した図である。
【図２０】マイディスクが装填されている場合において、コンテンツが編集される媒体を模式的に示した図である。
【図２１】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２２】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２３】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２４】表示装置におけるコンテンツおよびタイトルリストに記録されている情報の表示を概略的に示す図である。
【図２５】本実施形態に係るレコーダ装置における録画動作の流れを示すフローチャートである。
【図２６】コンテンツを録画する際の光ディスクおよび記憶部の状態を示す図である。
【発明を実施するための形態】
【００３８】
〔実施形態１〕
本発明に係るレコーダ装置の構成および当該レコーダ装置の動作の概要について、以下に説明する。なお、本実施形態に係るレコーダ装置は、コンテンツを光ディスクに記録する記録機能でなく、記録媒体に記録されているコンテンツおよび外部より取得したコンテンツを再生する再生機能を有するレコーダ装置である。
【００３９】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００４０】
本実施形態に係るレコーダ装置の構成について、図２を参照しつつ以下に説明する。図２は、レコーダ装置１００の要部構成を示すブロック図である。
【００４１】
図２に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４２】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００４３】
バックエンド部２００は、図２に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図２に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４４】
ドライブ部３００は、図２に示すように、インターフェース部３１０、ドライブ制御部３２０、ディスクドライブ部３３０および記憶部３４０を備えている。また、図２に示すように、インターフェース部３１０、ドライブ制御部３２０、ディスクドライブ部３３０および記憶部３４０は、バスラインを介して互いに接続されている。
【００４５】
本明細書等では、記憶部３４０における各領域に対して対応付けられた光ディスク、すなわち自身の有するメディアＩＤが記憶部３４０に記録されている光ディスクを「マイディスク」と称する。
【００４６】
バックエンド部２００およびドライブ部３００の備える各部材について、以下に説明する。
【００４７】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４８】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４９】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００５０】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００５１】
（バックエンド制御部２４０）
バックエンド制御部２４０は、レコーダ装置１００におけるコンテンツデータの記録および再生全般を制御する。
【００５２】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００５３】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５４】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５５】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５６】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５７】
なお、表示装置に表示する画像に付加情報（例えば、字幕、タイトルリスト、メニュー情報、アイコン等）を付加する場合には、画像処理部２７０において、高品質化処理を施した動画像データに対して必要な付加情報を重畳する。
【００５８】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００５９】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００６０】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６１】
なお、本実施形態では、インターフェース部２９０、３１０がＳＡＴＡである場合を例に挙げて説明する。
【００６２】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６３】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６４】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３２０に出力するようにしてもよい。なお、これは書き込み命令に限るものではなく、読み出し命令についても同様である。
【００６５】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００６６】
ディスクドライブ部３３０は、装填されている光ディスクからデータを読み出したり、光ディスク対してデータを書き込んだりするための光ピックアップ部などを備えている。
【００６７】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００６８】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００６９】
本実施形態のレコーダ装置１００における録画動作について、図１〜図３を参照して説明する。図１は、レコーダ装置１００のドライブ部３００における録画動作の流れを示している。図３の（ａ）〜（ｃ）は、コンテンツとして番組１を録画する際の光ディスクおよび記憶部３４０の状態を示す図である。なお、以下の処理は、バックエンド部２００でも実行可能である。
【００７０】
図１に示すように、光ディスクへの記録指示として、インターフェース部３１０がバックエンド部２００からコンテンツのデータを受信すると、ドライブ制御部（記録制御手段）３２０は、受信したコンテンツのデータを記憶部３４０に記憶することを開始する（Ｓ１０）。図３の（ａ）は、このときの光ディスクおよび記憶部３４０の状態を示している。
【００７１】
次に、ディスクドライブ部３３０に光ディスクが装填されるまで待機し（Ｓ１１）、装填されると、ドライブ制御部３２０は、光ディスクが未フォーマットか否かを判断する（Ｓ１２）。フォーマット済みの場合には、ステップＳ１５に進む。一方、未フォーマットの場合には、ドライブ制御部３２０は、ディスクドライブ部３３０に指示して、フォーマットを開始し（Ｓ１３）、フォーマットが完了するまで待機する（Ｓ１４）。フォーマットが完了すると、ステップＳ１５に進む。
【００７２】
ステップＳ１５にて、ディスクドライブ部３３０が光ディスクに記録可能な状態となったので、ドライブ制御部３２０は、受信したコンテンツのデータを記憶部３４０に記憶することから、光ディスクに記録することに切り替える（Ｓ１５）。そして、インターフェース部３１０がバックエンド部２００から記録停止要求を取得するまで、ステップＳ１５を継続する（Ｓ１６）。図３の（ｂ）は、このときの光ディスクおよび記憶部３４０の状態を示している。
【００７３】
なお、本実施形態では、図３の（ｂ）に示すように、ドライブ制御部３２０は、ディスクドライブ部３３０を制御して、記憶部３４０に記憶されたコンテンツのデータが記録されるための光ディスクの記録領域を確保し、その直後から、コンテンツの残りのデータ（番組１の続き）を記録している。
【００７４】
上記記録停止要求を取得すると、ドライブ制御部３２０は、記憶部３４０に記憶されたコンテンツのデータを上記光ディスクに記録する（Ｓ１７）。図３の（ｃ）は、このときの光ディスクおよび記憶部３４０の状態を示している。図示のように、コンテンツ（番組１）の全てのデータが光ディスクに記録されることになる。
【００７５】
なお、本実施形態では、図３の（ｃ）に示すように、記憶部３４０に記憶されたコンテンツのデータが、図３の（ｂ）にて確保された光ディスクの記録領域に記録されている。これにより、コンテンツが、取得された順番通りに記録されることになる。
【００７６】
次に、ドライブ制御部３２０は、記憶部３４０に記憶されたコンテンツのデータを破棄する。これにより、記憶部３４０のリソースの有効利用を図ることができる。その後、処理を終了する。
【００７７】
従って、上記構成のレコーダ装置１００は、インターフェース部３１０が取得を開始した時点（記録指示時点）からのコンテンツのデータを光ディスクに記録することができる。また、上記記録指示時点から光ディスクへの記録が可能になる前の上記コンテンツのデータは、上記光ディスクへ記録するためにデータを一時記憶するバッファメモリとは別の記憶部３４０に記憶される。従って、上記バッファメモリは、不要か、或いは必要であるとしても所定の容量で済む。これにより、特許文献１のような種々の制約を設ける必要が無い。
【００７８】
〔実施形態２〕
次に、本発明の別の実施形態について説明する。本実施形態のレコーダ装置１００は、図１〜図３に示すレコーダ装置１００に比べて、各種動作と、記憶部３４０の構成とが異なり、その他の構成は同様である。なお、上記実施形態で説明した構成と同様の機能を有する構成には同一の符号を付して、その説明を省略する。
【００７９】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図４（ａ）および（ｂ）および図５（ａ）および（ｂ）を参照して説明する。レコーダ装置１００における事前設定は、記憶部３４０の初期化処理と、記憶部３４０に対する光ディスクの登録処理の２つに大別することができる。
【００８０】
記憶部３４０の初期化処理について、図４（ａ）および（ｂ）を参照しつつ説明する。図４（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００８１】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００８２】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図４（ａ）に示すような画像を表示することが好ましい。
【００８３】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００８４】
図４（ｂ）は、初期化処理後の記憶部３４０を示している。図４（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００８５】
管理領域は、図４（ｂ）に示すように、領域１〜領域ｎを管理するマイディスク管理領域と、マイディスク管理領域を管理するメモリ管理領域と、に分けることができる。
【００８６】
マイディスク管理領域には、領域１〜領域ｎの各領域を管理する管理情報が記録されている。図４（ｂ）では、便宜上、領域１を管理する管理情報の記録されている領域を「エントリ１」と称し、以下同様に領域２〜ｎを管理する管理情報の記録されている領域をエントリ２〜ｎと称する。
【００８７】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００８８】
「エントリ番号」は、いずれの領域を管理するのかを示す情報である。例えば、エントリ１は、領域１を管理する管理情報であるため、エントリ番号としては「１」を示す情報が記録されている。
【００８９】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００９０】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００９１】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００９２】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００９３】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００９４】
また、メモリ管理領域には、図４（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００９５】
なお、記憶部３４０を領域１〜領域ｎに仮想的に分割した時に生じる余りの領域を予備領域として活用するようにしてもよい。
【００９６】
次に、記憶部３４０に対する光ディスクの登録処理について、図５（ａ）および（ｂ）を参照しつつ説明する。図５（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００９７】
光ディスクの登録処理とは、記憶部３４０において仮想的に分割されている各領域を管理するエントリに対して、光ディスクのメディアＩＤを記録する処理である。
【００９８】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９９】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【０１００】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【０１０１】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【０１０２】
なお、メディアＩＤをエントリに記録する際には、表示装置に図５（ａ）に示すような画像を表示するようにすることが好ましい。
【０１０３】
図５（ｂ）は、メディアＩＤ「ａａａ」を有する光ディスクをエントリ１に記録した場合における光ディスクの登録後の記憶部３４０の状態を示している。
【０１０４】
光ディスクのメディアＩＤをエントリ１に記録した場合、図５（ｂ）に示すように、光ディスクはエントリ１により管理される領域１に対して対応付けられることになる。
【０１０５】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１０６】
上述した事前設定の完了しているレコーダ装置１００におけるコンテンツ録画動作、コンテンツ再生動作、コンテンツ編集動作、およびコンテンツコピー動作について、以下に説明する。
【０１０７】
レコーダ装置１００におけるコンテンツ録画動作について、図６（ａ）〜（ｃ）〜図１５（ａ）〜（ｃ）を参照して以下に説明する。なお、ここでは、コンテンツ録画動作として、予約録画処理を例に挙げて説明する。
【０１０８】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１０９】
まず、レコーダ装置１００における予約登録処理について、図６（ａ）〜（ｃ）を参照しつつ以下に説明する。図６（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１１０】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１１１】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図６（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１１２】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図６（ｂ））。このとき、ディスク１には、既にメディアＩＤは記録されているため、メディアＩＤについては記録しなくてもよい。
【０１１３】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１１４】
図６（ｃ）には、記憶部３４０の領域１に対応付けられたディスク１を装填している場合に予約登録した際の表示装置に表示する画像の一例を示している。
【０１１５】
次に、記憶部２８０の予約情報管理領域に記録されている予約情報に含まれているメディアＩＤのマイディスクがドライブ部３００に装填されている場合の録画処理について、図７（ａ）および（ｂ）を参照しつつ以下に説明する。図７（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１１６】
コンテンツ１の録画が完了すると、図７（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１１７】
次に、コンテンツ１を記憶部３４０の領域１およびディスク１に記録した際の記憶部３４０および記憶部２８０の状態について図８（ａ）〜（ｃ）を参照しつつ以下に説明する。図８（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１８】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１９】
図８（ａ）には、記憶部３４０の領域１における仮想ディスクイメージを示している。図８（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１２０】
続いて、図８（ａ）において示した物理アドレスと仮想アドレスとの関連付けを実現するためのマップテーブルについて、図８（ｂ）を参照しつつ説明する。
【０１２１】
マップテーブルは、記憶部３４０のマイディスク管理領域におけるマップ情報として記録されている。マップテーブルは、図８（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１２２】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１２３】
マップテーブルは、コンテンツ１が領域１に記録されると共に内容が更新される。記憶部３４０の領域１が図８（ａ）に示す状態である場合のマップテーブルを、図８（ｂ）に示す。図８（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１２４】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１２５】
なお、図８（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１２６】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図８（ｃ）を参照して説明する。なお、タイトル管理領域は、記憶部３４０において仮想的に分割されている領域の数だけ記憶部２８０に設けられている。
【０１２７】
タイトル管理テーブルには、図８（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２８】
図８（ｂ）に示したマップテーブルを設定したときのタイトル管理テーブルの一例を、図８（ｃ）に示している。このとき、タイトル１における残りダビング回数は、コンテンツ１をディスク１へ記録したため、残り１０回から１回減算されて「９」回となっている。
【０１２９】
続いて、記憶部２８０の予約情報管理領域に記録されている予約情報に含まれているメディアＩＤのマイディスクがドライブ部３００に装填されていない場合の録画処理について、図９（ａ）および（ｂ）を参照しつつ以下に説明する。図９（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１３０】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１３１】
コンテンツ２の録画が終了すると、図９（ｂ）に示すように、バックエンド制御部２４０は記憶部２８０における予約情報管理領域からコンテンツ２の予約録画を示す予約情報を消去する。
【０１３２】
次に、コンテンツ２を記憶部３４０の領域１に記録した際の記憶部３４０および記憶部２８０の状態について図１０（ａ）〜（ｃ）を参照しつつ以下に説明する。図１０（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１３３】
図１０（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１３４】
コンテンツ２が領域１に記録されると共に、記憶部３４０のエントリ１におけるマップ情報に記録されているマップテーブルも更新される。記憶部３４０の領域１が図１０（ａ）に示す状態のマップテーブルを、図１０（ｂ）に示す。図１０（ｂ）に示すように、図８（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１３５】
また、図１０（ｃ）には、図１０（ｂ）に示したマップテーブルが設定されたときのタイトル管理テーブルの一例を示している。図１０（ｃ）に示すように、タイトル管理テーブルでは、図８（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１３６】
次に、記憶部３４０に記録されたコンテンツであってマイディスクに対して記録されていないコンテンツを、マイディスクに対して記録する同期処理について、図１１〜図１３（ａ）〜（ｃ）を参照して以下に説明する。
【０１３７】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１１）。すなわち、コンテンツ２は同期状態となる。
【０１３８】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３９】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１１）。なお、図１１は、コンテンツの同期処理後の記憶部３４０およびディスク１の状態を示す図である。
【０１４０】
次に、記憶部３４０の領域１に記録されているコンテンツ２をディスク１に書き出した際の記憶部３４０および記憶部２８０の状態について図１２（ａ）〜（ｃ）を参照しつつ以下に説明する。図１２（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１４１】
図１２（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１４２】
コンテンツ２の同期処理が完了すると、図１２（ｂ）に示すように、エントリ１のマップ情報に記録されているマップテーブルの同期フラグが、コンテンツがマイディスクに記録されていることを表す「１」となる。また、図１２（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１４３】
次に、ディスク１において「０ｘ２５０」を先頭アドレスとするコンテンツ（コンテンツ３）が既に記録されている場合のコンテンツ２の同期処理について、図１３（ａ）〜（ｄ）を参照して以下に説明する。
【０１４４】
図１３（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１４５】
図１３（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１４６】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４７】
このとき、領域１のマップテーブルについても、図１３（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４８】
同様に、図１３（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１４９】
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１５０】
図１４は、領域１に記録されていたコンテンツ１およびコンテンツ２を削除した後に、新たにコンテンツ４を録画したときの記憶部３４０およびディスク１の状態を示す図である。なお、図１４は、マイディスクが装填されている状態での録画のため、コンテンツ４はディスク１に対しても記録されている。
【０１５１】
図１４に示す状態、すなわちコンテンツ１およびコンテンツ２を領域１から削除した後に領域１にコンテンツ４を記録したときの記憶部３４０および記憶部２８０の状態について図１５（ａ）〜（ｃ）を参照しつつ以下に説明する。図１５（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１５２】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１５（ａ）に示すように、コンテンツ１およびコンテンツ２は、仮想ディスクイメージ上においては消去されることなく残されている。すなわち、図１５（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１５３】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１５４】
また、図１５（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１５５】
次に、レコーダ装置１００におけるコンテンツの再生動作について、図１６〜図１９を参照しつつ以下に説明する。
【０１５６】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１５７】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１５８】
マイディスクが装填されている場合の再生処理について、図１６および図１７を参照して以下に説明する。図１６は、コンテンツ１〜３を記録したディスク１が装填されている場合の記憶部３４０および記憶部２８０の状態を示す図である。図１７は、マイディスクが装填されている場合において、再生時にコンテンツが読み出される媒体を模式的に示した図である。
【０１５９】
図１６に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１６では、タイトル管理テーブルの詳細については省略して示している。
【０１６０】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１６１】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１６２】
領域１からコンテンツ１を読み出したドライブ制御部３２０は、読み出したコンテンツ１を、インターフェース部３１０を介してバックエンド部２００に出力する。
【０１６３】
このように、読み出しの対象となるコンテンツがマイディスクにも記憶部３４０にも記録されている場合、図１７に示すように、コンテンツは記憶部３４０から読み出される。
【０１６４】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１６５】
ディスク１からコンテンツ３が読み出されると、ドライブ制御部３２０は、読み出したコンテンツ３を、インターフェース部３１０を介してバックエンド部２００に出力する。
【０１６６】
このように、読み出しの対象となるコンテンツが記憶部３４０に記録されていない場合、図１７に示すように、コンテンツはマイディスクから読み出される。
【０１６７】
続いて、マイディスクが装填されていない場合の再生処理について、図１８および図１９を参照して以下に説明する。図１８は、ドライブ部３００に光ディスクが装填されていない場合の記憶部３４０および記憶部２８０の状態を示す図である。図１９は、マイディスクが装填されていない場合において、再生時にコンテンツが読み出される媒体を模式的に示した図である。
【０１６８】
図１８に示すように、記憶部３４０の領域１には、コンテンツ１およびコンテンツ２が記録されている。しかし、図１６の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１８では、図１６と同様に、タイトル管理テーブルの詳細については省略して示している。
【０１６９】
図１８に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１７０】
すなわち、図１９に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１７１】
なお、図１９に示すコンテンツ１の読み出し処理は、マイディスクが装填されている場合におけるコンテンツ１の読み出し処理と同様であるため、ここでは説明を省略する。
【０１７２】
次に、レコーダ装置１００におけるコンテンツの編集動作について、図２０および図２１（ａ）および（ｂ）を参照しつつ以下に説明する。
【０１７３】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１７４】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１７５】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１７６】
マイディスクが装填されている場合の編集処理について、図１６および図２０を参照して以下に説明する。図２０は、マイディスクが装填されている場合において、コンテンツが編集される媒体を模式的に示した図である。
【０１７７】
図１６に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１６では、タイトル管理テーブルの詳細については省略して示している。
【０１７８】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１７９】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１８０】
このように、データを変更する対象となるコンテンツがマイディスクにも記憶部３４０にも記録されている場合、図２０に示すように、記憶部３４０に記録されているコンテンツのデータが変更されることになる。
【０１８１】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１８２】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１８３】
続いて、マイディスクが装填されていない場合のコンテンツの編集処理について、図１８および図２１（ａ）および（ｂ）を参照して以下に説明する。図２１（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１８４】
図１８に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１８５】
すなわち、図２１（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１８６】
次に、レコーダ装置１００におけるコンテンツのコピー動作について、図２２（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２２（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１８７】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１８８】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２２（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１８９】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２２（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１９０】
なお、図２２（ａ）に示すように、ディスク２はドライブ部３００に装填されていないため、領域２に記録されているコンテンツ２の同期状態は、未同期を表す情報である。
【０１９１】
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１９２】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０１９３】
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１９４】
ここで、光ディスクのファイルシステムを利用したデータ管理について、図２３（ａ）〜（ｃ）を参照しつつ以下に説明する。図２３（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１９５】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１９６】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２３（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１９７】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１９８】
なお、図２３（ａ）には、ディスク１に関するファイルシステムについてのみ示しているが、記憶部２８０のファイルシステム管理領域には、マイディスクとして登録されているディスクの数だけファイルシステムが記録されている。
【０１９９】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０２００】
さらに、図２３（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０２０１】
このように、記憶部３４０に記録されているマップ情報は、本実施形態ではコンテンツごとの配置情報として示しているが、より正確には、図２３（ｃ）に示すように、領域（ファイル）ごとの配置情報を示すものである。
【０２０２】
また、マイディスクの登録解除の際には、ファイルシステム管理領域に記録されているファイルシステムについても、タイトル管理情報と併せて削除される。
【０２０３】
最後に、レコーダ装置１００に接続された表示装置におけるコンテンツとタイトルリストに記録されている情報との表示例について、図２４を参照しつつ以下に説明する。図２４は、表示装置５００上でのコンテンツおよびタイトルリストに記録されている情報の表示を概略的に示す図である。
【０２０４】
操作入力部を介してユーザーがタイトルリストの表示をレコーダ装置１００に対して指示すると、表示装置５００では、タイトルリストおよびコンテンツが図２４に示すように表示される。
【０２０５】
すなわち、図２４に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０２０６】
タイトルリスト表示部５２０には、図２４に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２０７】
図２４では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２０８】
本実施形態のレコーダ装置１００における録画動作について、図２５および図２６を参照して説明する。なお、ここでの録画動作は、上述の予約録画ではなく、ユーザーがリモートコントローラの録画ボタンを操作するなどして録画要求が行われる場合の動作である。図２５は、レコーダ装置１００の処理の流れを示している。図２６の（ａ）・（ｂ）は、コンテンツとして番組１を録画する際の光ディスクに対応する記憶部３４０の仮想ディスクイメージ（記録媒体用記憶領域）の状態を示す図である。
【０２０９】
図２５に示すように、レコーダ装置１００は、ユーザーからの録画要求を取得すると（Ｓ３０）、バックエンド部２００は、ドライブ部３００にコンテンツのデータを送信する。次に、ドライブ制御部（アクセス制御手段）３２０は、取得したコンテンツのデータを、全ての仮想ディスクイメージに記憶する録画処理を開始する（Ｓ３１）。図２６の（ａ）は、このときの記憶部３４０の状態を示している。図示のように、各仮想ディスクイメージに対し、同じコンテンツ（番組１）のデータが一斉に記録されている。
【０２１０】
次に、バックエンド部２００は、ユーザーに光ディスクを挿入する旨を案内する。それから、ディスクドライブ部３３０に光ディスクが装填されるまで待機し（Ｓ３３）、装填されると、ドライブ制御部３２０は、光ディスクが未フォーマットか否かを判断する（Ｓ３４）。フォーマット済みの場合には、ステップＳ３７に進む。一方、未フォーマットの場合には、ドライブ制御部３２０は、ディスクドライブ部３３０に指示して、フォーマットを開始し（Ｓ３５）、フォーマットが完了するまで待機する（Ｓ３６）。フォーマットが完了すると、ステップＳ３７に進む。
【０２１１】
この時点で、装填された光ディスクが判明することになる。図２６の例では、１番目の光ディスクが装填されたことが判明する。このとき、ドライブ制御部３２０は、装填された光ディスクを識別する識別情報をディスク指定情報（記録媒体指定情報）として取得することになる。
【０２１２】
次に、ステップＳ３７にて、ドライブ制御部３２０は、装填された光ディスクに対応する仮想ディスクイメージ以外の仮想ディスクイメージへのコンテンツのデータの記憶を停止する。すなわち、装填された光ディスクに対応する仮想ディスクイメージにのみ、コンテンツのデータの記憶が継続されることになる（Ｓ３７）。図２６の（ｂ）は、このときの記憶部３４０の状態を示している。
【０２１３】
その後、コンテンツの記憶が完了すると（Ｓ３８）、ドライブ制御部３２０は、仮想ディスクイメージに記憶されたコンテンツのデータを、装填されている光ディスクに記録する（Ｓ３９）。また、ドライブ制御部３２０は、装填された光ディスクに対応する仮想ディスクイメージ以外の仮想ディスクイメージに途中まで記憶されたコンテンツのデータを破棄する。これにより、記憶部３４０のリソースの有効利用を図ることができる。その後、処理を終了する。なお、ステップＳ４０は、ステップＳ３７以降の適当な時期に行えばよい。
【０２１４】
従って、上記構成のレコーダ装置１００は、光ディスクが装填されて特定される前にコンテンツが取得されると、複数の仮想ディスクイメージの全てにコンテンツのデータが記憶されていき、その後に装填された光ディスクが特定されると、特定された光ディスクに対応する仮想ディスクイメージ以外の仮想ディスクイメージへのコンテンツのデータの記憶が停止される。これにより、コンテンツの取得時点からのコンテンツのデータは、装填された光ディスクに対応する仮想ディスクイメージに記憶されることになる。
【０２１５】
なお、本実施形態の録画動作を、図１に示す録画動作に変更することもできる。この場合、仮想ディスクイメージが指定されるまでは、記憶部３４０の仮想ディスクイメージ以外の記憶領域に設けられた予約領域（図示せず）にコンテンツのデータが記憶され、仮想ディスクイメージが指定されると、指定された仮想ディスクイメージにコンテンツのデータが記憶されることに切り替わることになる。
【０２１６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１７】
最後に、レコーダ装置１００の各ブロック、特にバックエンド制御部２４０およびドライブ制御部３２０は、ハードウェアロジックによって構成してもよいし、次のようにＣＰＵを用いてソフトウェアによって実現してもよい。
【０２１８】
すなわち、レコーダ装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるレコーダ装置１００の制御プログラムのプログラムコード（実行形式プログラム、中間コードプログラム、ソースプログラム）をコンピュータで読み取り可能に記録した記録媒体を、上記レコーダ装置１００に供給し、そのコンピュータ（またはＣＰＵやＭＰＵ）が記録媒体に記録されているプログラムコードを読み出し実行することによっても、達成可能である。
【０２１９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２０】
また、レコーダ装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２２１】
本発明に係るコンテンツ記録再生装置は、ＢＤレコーダまたはＤＶＤレコーダとして好適に利用することができる。
【符号の説明】
【０２２２】
１００  レコーダ装置
２００  バックエンド部
２１０  チューナー部
２２０  エンコーダ部
２３０  ストリーム処理部
２４０  バックエンド制御部
２５０  バッファ部
２６０  デコーダ部
２７０  画像処理部
２８０  記憶部
２９０  インターフェース部
３００  ドライブ部（ドライブ装置）
３１０  インターフェース部
３２０  ドライブ制御部（記録制御手段、アクセス制御手段）
３３０  ディスクドライブ部
３４０  記憶部
５００  表示装置
５１０  コンテンツ表示部
５２０  タイトルリスト表示部
５３０  表示部
【図１】
2010238339.tif 000003
【図２】
2010238339.tif 000004
【図３】
2010238339.tif 000005
【図４】
2010238339.tif 000006
【図５】
2010238339.tif 000007
【図６】
2010238339.tif 000008
【図７】
2010238339.tif 000009
【図８】
2010238339.tif 000010
【図９】
2010238339.tif 000011
【図１０】
2010238339.tif 000012
【図１１】
2010238339.tif 000013
【図１２】
2010238339.tif 000014
【図１３】
2010238339.tif 000015
【図１４】
2010238339.tif 000016
【図１５】
2010238339.tif 000017
【図１６】
2010238339.tif 000018
【図１７】
2010238339.tif 000019
【図１８】
2010238339.tif 000020
【図１９】
2010238339.tif 000021
【図２０】
2010238339.tif 000022
【図２１】
2010238339.tif 000023
【図２２】
2010238339.tif 000024
【図２３】
2010238339.tif 000025
【図２４】
2010238339.tif 000026
【図２５】
2010238339.tif 000027
【図２６】
2010238339.tif 000028